(57)【要約】  異常表示装置2312が、前面パネル内側に配設された光源23122、および前面パネルを貫通し光源が発生する光を入射する受光面23121S1とこの受光面に入射した光を伝達する柱状の光伝達部23121S2と前面パネルから外部に突出し光伝達部によって伝達された光を放射する光放射部23121S3とを有するレンズ23121で構成され、光放射部は、先端部がほぼアーチ形状をなす第１の側面23121S31とこの第１の側面とほぼ平行をなし先端部がほぼアーチ形状をなす第２の側面23121S32と前記第１の側面の周縁部と前記第２の側面の周縁部とに跨ってほぼアーチ形状に延在する前面23121S33とを有し、第１の側面、第２の側面、および前面の何れにも粗面化加工23121S34が施されており、複数の列盤のコントロールセンタにおいて、異常表示装置の視認性を向上する。
2009101716.tif 000002
【特許請求の範囲】
【請求項１】
複数の列盤の各々を構成するコントロールユニットの前面パネルに、負荷状態を表示する負荷状態監視画面表示装置、およびこの負荷状態監視画面表示装置の近傍に位置する異常表示装置を備えたコントロールセンタにおいて、
前記異常表示装置が、前記前面パネル内側に配設された光源、および前記前面パネルを貫通し前記光源が発生する光を入射する受光面とこの受光面に入射した光を伝達する柱状の光伝達部と前記前面パネルから外部に突出し前記光伝達部によって伝達された光を放射する光放射部とを有するレンズで構成され、
前記光放射部は、先端部がほぼアーチ形状をなす第１の側面とこの第１の側面とほぼ平行をなし先端部がほぼアーチ形状をなす第２の側面と前記第１の側面の周縁部と前記第２の側面の周縁部とに跨ってほぼアーチ形状に延在する前面とを有し、
前記第１の側面、前記第２の側面、および前記前面の何れにも粗面化加工が施されていることを特徴とするコントロールセンタ。
【請求項２】
請求項１に記載のコントロールセンタにおいて、
前記レンズおよび前記光源の対が少なくとも２対設けられ、その１対は負荷状態の異常を表示し、他の一対は前記コントロールユニット内の動作エラーを表示する
ことを特徴とするコントロールセンタ。
【請求項３】
請求項２に記載のコントロールセンタにおいて、
前記各対のレンズは並設され、前記各対の光源は並設されている
ことを特徴とするコントロールセンタ。
【請求項４】
請求項１〜３の何れか一に記載のコントロールセンタにおいて、
前記前面パネルに設けられたレンズ取付用貫通孔内に前記レンズが取り付けられ、
前記コントロールユニット内に設けられ前記負荷状態監視画面の表示制御および前記光源の発光制御を行う表示制御基板に前記光源が取り付けられている
ことを特徴とするコントロールセンタ。
【請求項５】
請求項１〜４の何れか一に記載のコントロールセンタにおいて、
前記前面パネルの少なくとも前記光伝達部を囲繞する部分は光不透過性樹脂で形成され、
前記レンズは光透過性プラスチックで形成され、
前記光源はＬＥＤである
ことを特徴とするコントロールセンタ。
【請求項６】
請求項４または請求項５に記載のコントロールセンタにおいて、
前記前面パネルに一体に設けられた筒状部内に前記レンズ取付用貫通孔が形成され、
前記筒状部の内端面より前面側に前記レンズの前記受光面が位置し、
前記光源の前面側の光放射面が前記筒状部内に位置している
ことを特徴とするコントロールセンタ。
【請求項７】
請求項６に記載のコントロールセンタにおいて、
前記レンズの前記受光面と前記光源の前記光放射面との間  に所定長のギャップが形成
されている
ことを特徴とするコントロールセンタ。
【請求項８】
請求項４〜７の何れか一に記載のコントロールセンタにおいて、
前記前面パネルは、前記表示制御基板に対して可枢動であることを特徴とするコントロールセンタ。
【発明の詳細な説明】
【技術分野】
【０００１】
この発明は、複数の列盤の各々を構成するコントロールユニットの前面パネルに、負荷状態を表示する負荷状態監視画面表示装置、およびこの負荷状態監視画面表示装置の近傍に位置する異常表示装置を備えたコントロールセンタに関するものである。
【背景技術】
【０００２】
コントロールセンタを構成する複数の列盤の各々を構成するコントロールユニットは例えば特開平６−１５３３３３号公報（特許文献１）に示されている。この特、許文献１に掲載のコントロールユニットには、負荷状態を表示する負荷状態監視画面表示装置、およびこの負荷状態監視画面表示装置の近傍に位置する異常表示装置は示されていないが、実際の製品にはこれら負荷状態監視画面表示装置および異常表示装置が設けられる場合が多い。【０００３】
規模が比較的大きな工場などでは、多数のコンベアモータ、多数のポンプモータ、多数のファンモータが設置され、これら多数のモータ負荷の負荷状態監視・制御は多数の列盤からなる大型コントロールセンタで行われる。
【特許文献１】特開平６−１５３３３３号公報（要約における図及び説明）
【発明の開示】
【発明が解決しようとする課題】
【０００４】
多数のモータ負荷の負荷状態監視・制御を行う多数の列盤からなる大型コントロールセンタにおいて、列盤を構成するコントロールユニットの異常表示装置は、監視員が当該列盤に近づいて目視確認しており、工場内通路など比較的遠くから視認できるようには構成されていない。【０００５】
この発明は、前述のような実情に鑑みてなされたもので、複数の列盤の各々を構成するコントロールユニットの前面パネルに、負荷状態を表示する負荷状態監視画面表示装置、およびこの負荷状態監視画面表示装置の近傍に位置する異常表示装置を備えたコントロールセンタにおいて、異常表示装置の視認性を向上することを目的とするものである。
【課題を解決するための手段】
【０００６】
この発明に係るコントロールセンタは、複数の列盤の各々を構成するコントロールユニット前前面パネルに、負荷状態を表示する負荷状態監視画面表示装置、およびこの負荷状態監視画面表示装置の近傍に位置する異常表示装置を備えたコントロールセンタにおいて、
前記異常表示装置が、前記前面パネル内側に配設された光源、および前記前面パネルを貫通し前記光源が発生する光を入射する受光面とこの受光面に入射した光を伝達する柱状の光伝達部と前記前面パネルから外部に突出し前記光伝達部によって伝達された光を放射する光放射部とを有するレンズで構成され、
前記光放射部は、先端部がほぼアーチ形状をなす第１の側面とこの第１の側面とほぼ平行をなし先端部がほぼアーチ形状をなす第２の側面と前記第１の側面の周縁部と前記第２の側面の周縁部とに跨ってほぼアーチ形状に延在する前面とを有し、
前記第１の側面、前記第２の側面、および前記前面の何れにも粗面化加工が施されている
ものである。
【発明の効果】
【０００７】
この発明は、複数の列盤の各々を構成するコントロールユニットの前面パネルに、負荷状態を表示する負荷状態監視画面表示装置、およびこの負荷状態監視画面表示装置の近傍に位置する異常表示装置を備えたコントロールセンタにおいて、
前記異常表示装置が、前記前面パネル内側に配設された光源、および前記前面パネルを貫通し前記光源が発生する光を入射する受光面とこの受光面に入射した光を伝達する柱状の光伝達部と前記前面パネルから外部に突出し前記光伝達部によって伝達された光を放射する光放射部とを有するレンズで構成され、
前記光放射部は、先端部がほぼアーチ形状をなす第１の側面とこの第１の側面とほぼ平行をなし先端部がほぼアーチ形状をなす第２の側面と前記第１の側面の周縁部と前記第２の側面の周縁部とに跨ってほぼアーチ形状に延在する前面とを有し、
前記第１の側面、前記第２の側面、および前記前面の何れにも粗面化加工が施されているので、異常表示装置の視認性が向上し、比較的遠くから異常表示装置の表示を目視確認できる効果がある。
【図面の簡単な説明】
【０００８】
【図１】この発明の実施の形態１を示す図で、コントロールセンタの概念の一例を回路的に例示する接続図である。
【図２】この発明の実施の形態１を示す図で、複数の列盤の各々を構成するコントロールユニットの前面パネルに、負荷状態を表示する負荷状態監視画面、およびこの負荷状態監視画面の近傍に位置する異常表示装置を備えたコントロールセンタの外観の一例を概略的に例示する斜視図である。
【図３】この発明の実施の形態１を示す図で、図１に例示のコントロールユニットの正面図である。
【図４】この発明の実施の形態１を示す図で、図１に例示のコントロールユニットの平面図である。
【図５】この発明の実施の形態１を示す図で、図３のＶ−Ｖ線における断面を矢印方向に見たコントロールユニットの電子機器ユニットの内部構成の一例を示す拡大断面図である。
【図６】この発明の実施の形態１を示す図で、図５における異常表示装置の部分を更に拡大して示す拡大断面図である。
【図７】この発明の実施の形態１を示す図で、図６における異常表示装置の、レンズの光伝達部を囲繞する部分を裏側から見た外観図である。
【図８】この発明の実施の形態１を示す図で、図６における異常表示装置の光源を前面側から見た外観図である。
【図９】この発明の実施の形態１を示す図で、異常表示装置のレンズの斜視図である。
【図１０】この発明の実施の形態２を示す図で、LEDの各種配置を例示する図である。
【図１１】この発明の実施の形態３を示す図で、異常表示装置のレンズの他の事例を示す図で、（ａ）は平面図、（ｂ）は正面図である。
【図１２】この発明の実施の形態４を示す図で、異常表示装置のレンズの更に他の事例を示す図で、（ａ）は平面図、（ｂ）は正面図である。
【発明を実施するための最良の形態】
【０００９】
実施の形態１．
以下この発明の実施の形態１を図１〜図９により説明する。なお、各図中、同一符合は同一部分を示す。【００１０】
先ず、コントロールセンタの概念の一例を回路的に例示する図１、および複数の列盤の各々を構成するコントロールユニットの前面パネルに、負荷状態を表示する負荷状態監視画面、およびこの負荷状態監視画面の近傍に位置する異常表示装置を備えたコントロールセンタの外観の一例を概略的に例示する図２によって、コントロールユニットの概念を説明する。【００１１】
図１および図２に一例を示してあるように、規模が比較的大きな工場などでは、多数のコンベアモータ、多数のポンプモータ、多数のファンモータ等の比較的容量の大きな多数のモータ１が設置され、これら多数のモータ負荷の負荷状態監視・制御は多数の列盤からなる大型のコントロールセンタ２で行われる。【００１２】
コントロールセンタ２は、例えばモータ負荷電流を検出する変流器等の負荷状態検出センサ２１、モータ主回路を開閉する電磁接触器等のコンタクタ２２、負荷状態検出センサ２１の出力を入力しモータ負荷の負荷状態監視・制御（コンタクタ２２によるモータ主回路の開閉を含む）を行うコントロールユニット２３を含む多数の列盤２４で構成されている。図２は、列盤２４が１２個あり、各列盤にコントロールユニット２３が６個ある事例をしめしてある。【００１３】
各コントロールユニット２３は、電子機器ユニット２３１を有しており、電子機器ユニット２３１は、負荷状態を表示する負荷状態監視画面2311および異常表示装置2312等を有している。換言すれば、コントロールユニット２３は、負荷状態監視画面2311および異常表示装置2312等を有している。【００１４】
図２は、コントロールセンタ２の収納建屋Ａ内の通路AAから最も遠い最奥の列盤の最も上のコントロールユニット２３の電子機器ユニット２３１、負荷状態監視画面2311、および異常表示装置2312の符合を引き出し線で図示してあるが、コントロールユニット２３については、電子機器ユニット、負荷状態監視画面、および異常表示装置は図から判別できるので、それらの符合の図示は省略してある。同様に、各コントロールユニット２３も、図から判別できるので、通路AAから最も遠い最奥の列盤２４だけに、各コントロールユニット  ２３の符合を図示し、他は図示省略してある。【００１５】
コントロールユニット２３の電子機器ユニット２３１の部分の正面図である図３、およびコントロールユニット２３の電子機器ユニット２３１の部分の平面図である図４に一例を図示してあるように、電子機器ユニット２３１の前面パネルには負荷状態監視画面2321の近傍に位置する異常表示装置2312以外に、対象モータ１（図１参照）のＯＮ−ＯＦＦ（コンタクタ３２（図１参照）の開閉）等の操作を行う操作ボタン2313、負荷状態の異常レベルの設定等を行う設定操作子2314等が設けられている。【００１６】
異常表示装置2312は後に詳述するが、その前部の表示用の例えば光透過性プラスチックで形成されたレンズ23121は、例えば前記ＯＮ表示用のレンズ231211、前記ＯＦＦの表示用のレンズ231212、負荷状態の異常の表示用のレンズ231213、コントロールユニット２３内（電子機器ユニット２３１内を含む）の動作エラーの表示用のレンズ231214で構成されている。また、これらレンズ231211，231212，231213，231214は、図示の例では、上下に所定間隔毎に一列に配設されており、何れも、電子機器ユニット２３１の前面（つまりコントロールユニット２３の前面）から前方に所定長だけ突出している（図４参照）。【００１７】
コントロールユニット２３の電子機器ユニット２３１の内部構成は、図３のＶ−Ｖ線における断面を矢印方向に見た拡大断面図である図４に一例を例示してあるように、前面パネル2313、裏面パネル2314、電源回路部2315、Ｉ／Ｏ回路基板2316、制御回路基板2317、表示回路基板2318、コネクタ2319，2320，2321，2322，2323、液晶表示パネル2324、液晶表示パネルのバックライト2325、透明窓板2326、ヒンジ2327を備えた構成としてある。【００１８】
前記前面パネル2313は、コントロールユニット２３の前面パネルを構成しており、光不透過性の樹脂、他で形成されている。【００１９】
前記裏面パネル2314は、樹脂、他で形成されており、その裏面側には、コントロールユニット２３に内蔵の前記負荷状態検出センサ２１、前記コンタクタ２２等が配設されている。【００２０】
前記電源回路部2315は、前記各基板2316，2317，2318に直流電源を供給する電源回路であり、降圧トランス（図示省略）で所定電圧に降圧された交流を取り込み、内蔵のブリッジ回路（交直変換回路）で交流を直流に変換した後、当該ブリッジ回路の直流出力を電解コンデンサ等の内蔵の平滑コンデンサで平滑する機能を有しており、平滑した直流を前記各基板2316，2317，2318に供給するものである。【００２１】
前記Ｉ／Ｏ回路基板2316は、いわゆる入出力回路が形成された基板であり、前記負荷状態検出センサで検出された負荷状態情報信号（アナログ信号）を入力し、前記制御回路基板2317に、デジタルの負荷状態情報信号を出力するものである。【００２２】
前記制御回路基板2317は、入力したデジタルの負荷状態情報信号に基づき前記負荷状態監視画面表示装置2311および前記異常表示装置2312に、各表示装置2311，2312に必要な表示制御信号を出力するものである。【００２３】
前記表示回路基板2318は、前記制御回路基板2317から前記表示制御信号を入力し、当該表示制御信号に基づいて、前記ＯＮ、前記ＯＦＦ、前記負荷状態の異常、前記動作エラーの表示動作信号を、前記異常表示装置2312に出力し、前記負荷状態の計測値等の表示動作信号を、前記負荷状態監視画面表示装置2311に出力する。【００２４】
前記コネクタ2319は、前記負荷状態検出センサ２１の検出出力信号線と前記Ｉ／Ｏ回路基板2316の入力端子とを接続するものである。
前記コネクタ2320，2321は、前記Ｉ／Ｏ回路基板2316の出力端子と前記制御回路基板2317の入力端子とを接続するものであり、ハーネスを使用することなく両基板の入出力端子間を接続することからボード・ツー・ボード・コネクタとも呼称されている。
前記コネクタ2322は、前記電源回路部2315に設けられ、交流電源（図示省略してある降圧変圧器の２次出力）を取り込む端子である。
前記コネクタ2323は、前記制御回路基板2317の出力端子と前記表示回路基板2318の入力端子とを接続するものであり、前記ボード・ツー・ボード・コネクタである。【００２５】
前記液晶表示パネル2324は、液晶を使った表示パネルであり、前記表示回路基板2318からの表示動作信号に基づいて前記負荷状態の計測値等の表示を行うものである。【００２６】
前記液晶表示パネルのバックライト2325は、前記液晶表示パネル2324の裏面側から前記液晶表示パネル2324に向けて光を放射する光源であり、液晶表示パネル2324の表示を鮮明にするものである。
なお、前記バックライト2325の光強度および／または前記液晶表示パネル2324の背景色を、前記表示回路基板2318からの表示動作信号に基づいて、前記モータ負荷の定常時に比べ異常時の方が明るくなるようにすれば、多数の列盤の場合でも視認し易くなる。【００２７】
前記透明窓板2326は、前記液晶表示パネル2324の前面を保護するものであり、前記前面パネル2313の開口に取り付けられている。【００２８】
前記ヒンジ2327は、固定部2328に設けられ、前記前面パネル2313の裏面側の片端2313A、および前記裏面パネル2314の前記前面パネル2313の片端2313Aと同じ側の片端2314Aの双方が枢着されており、この枢着により、前記前面パネル2313および前記裏面パネル2314は、何れも、互いに個別に、前記ヒンジ2327を軸心として矢印Ａ方向に回動できる、即ち、片開きで開閉できる。【００２９】
前記ヒンジ2327を軸心として前記前面パネル2313を矢印Ａ方向に回動する（開く）と、前記前面パネル2313、前記表示用のレンズ23121、および前記透明窓板2326が、前記ヒンジ2327を軸心として前記矢印Ａ方向に一体をなして回動して開き、その結果、外部に露出した状態となった前記電源回路部2315、前記Ｉ／Ｏ回路基板2316、前記制御回路基板2317、前記表示回路基板2318、前記コネクタ2319,2320,2321,2322,2323、前記液晶表示パネル2324、および前記液晶表示パネルのバックライト2325等の保守点検ができる。【００３０】
また、前記ヒンジ2327を軸心として前記裏面パネル2314を矢印A1方向に回動する（開く）と、前記裏面パネル2314、前記電源回路部2315、前記Ｉ／Ｏ回路基板2316、前記制御回路基板2317、前記表示回路基板2318、前記コネクタ2319,2320,2321,2322,2323、前記液晶表示パネル2324、および前記液晶表示パネルのバックライト2325、前記ヒンジ2327を軸心として前記矢印A2方向に一体をなして回動して開き、その結果、外部に露出した状態となった前記負荷状態検出センサ２１、コンタクタ２２等の保守点検ができる。【００３１】
ここで、前記異常表示装置2312の構造を、図６〜図９により詳細に説明する。図６は図５における前記異常表示装置2312の部分を更に拡大して示す拡大断面図、図７は前記レンズ23121の光伝達部を囲繞する部分を裏側から見た外観図、図８は前記光源23122を前面側から見た外観図、図９は前記レンズ23121，231211，231212，231213，231214の斜視図である。【００３２】
前記前面パネル2313の、前記負荷状態監視画面表示装置2311の近傍で、前記液晶表示パネル2324、前記液晶表示パネルのバックライト2325、および前記透明窓板2326から所定距離離れた位置に、前記液晶表示パネル2324、前記液晶表示パネルのバックライト2325、および前記透明窓板2326の重積方向と平行をなして、前記前面パネル2313から裏面側に一体に突出する筒状部23131が形成されている。【００３３】
前記筒状部23131には、それぞれ前記前面パネル2313の裏面側から前面側に貫通し互いに平行をなして延在する４個（つまり複数個）のレンズ取付用貫通孔231311，231312，231313，231314が設けられている。これらレンズ取付用貫通孔231311，231312，231313，231314は何れも、裏側から見た形状は図示のように、長方形等の矩形であり、各々の大きさは同じである。
換言すれば、前記筒状部23131は、前面パネル2313を前後に貫通する複数個のレンズ取付用貫通孔231311，231312，231313，231314を有していると言え、また、観点を変えれば、レンズ取付用貫通孔231311を有する筒状部とレンズ取付用貫通孔231312を有する筒状部とレンズ取付用貫通孔231313を有する筒状部とレンズ取付用貫通孔231314を有する筒状部とが一体に形成された筒状部とも言える。【００３４】
前記レンズ取付用貫通孔231311に前記ＯＮ表示用のレンズ231211が、前記レンズ取付用貫通孔231312に前記ＯＦＦの表示用のレンズ231212が、前記レンズ取付用貫通孔231313に前記負荷状態の異常の表示用のレンズ231213が、前記レンズ取付用貫通孔231314に前記動作エラーの表示用のレンズ231214が、それぞれ挿入されて、対応レンズ取付用貫通孔内に固定されている。【００３５】
また、前記レンズ231211，231212，231213，231214の各々の受光面23121S1は、図示のように、前記筒状部23131の内端面23131Aより前面側に位置し、前記レンズ231211，231212，231213，231214の各々の受光面23121S1と前記筒状部23131の内端面23131Aとの間には、窪み23131Bが形成されている。【００３６】
前記光源23122は、前記ＯＮ表示用のレンズ231211に対向したＯＮ表示用のLED231221、前記ＯＦＦの表示用のレンズ231212に対向したＯＦＦ表示用のLED231222、前記負荷状態の異常の表示用のレンズ231213に対向した負荷状態異常表示用のLED231223、ユニット内動作エラーの表示用のレンズ231214に対向したユニット内動作エラー表示用のLED231224で構成されている。【００３７】
図示の例では、前記ＯＮ表示用のLED231221は所定間隔で配設された緑Ｇ、赤Ｒ、緑Ｇの３個のLEDで構成され、前記ＯＦＦ表示用のLED231222は所定間隔で配設された緑Ｇ、赤Ｒ、緑Ｇの３個のLEDで構成され、前記負荷状態異常表示用のLED231223は所定間隔で配設された橙Ｏの２個のLEDで構成され、前記ユニット内動作エラー表示用のLED231224は、赤Ｒの１個のLEDで構成されている。【００３８】
前記ＯＮ時には前記赤Ｒの前記ＯＮ表示用のLED231221が、前記ＯＦＦ時には前記緑Ｇの前記ＯＦＦ表示用のLED231222が、前記負荷状態異常時には前記橙Ｏの２個の前記負荷状態異常表示用のLED231223が、前記ユニット内動作エラー時には前記赤Ｒの前記ユニット内動作エラー表示用のLED231224が、それぞれ前記表示回路基板2318からの表示駆動信号によって発光する。【００３９】
前記ＯＮ表示用のLED231221は、対向する前記ＯＮ表示用のレンズ231211に対応の前記窪み23131B内に前面側の先端の光放射面23122Aが位置し、前記ＯＦＦ表示用のLED231222は、対向する前記ＯＦＦの表示用のレンズ231212に対応の前記窪み23131B内に前面側の先端の光放射面23122Aが位置し、前記負荷状態異常表示用のLED231223は、対向する前記負荷状態の異常表示用のレンズ231213に対応の前記窪み23131B内に前面側の先端の光放射面23122Aが位置し、前記ユニット内動作エラー表示用のLED231224は、対向する前記ユニット内動作エラーの表示用のレンズ231214に対応の前記窪み23131B内に前面側の先端の光放射面23122Aが位置している。つまり、前記光源23122の前面側の光放射面23122Aが光不透過性の前記筒状部23131内に位置しており、前記光放射面23122Aから放射された光の拡散
が前記筒状部23131で防止される構造としてある。【００４０】
前記光源23122の前記光放射面23122Aと前記表示用のレンズ23121の前記受光面23121S1との間には所定長のギャップｇが確保されており、前記光源23122の前記光放射面23122Aと前記表示用のレンズ23121の前記受光面23121S1とが当接するのを防止する構造としてある。【００４１】
前記表示用のレンズ23121、つまり、前記ＯＮ表示用のレンズ231211、前記ＯＦＦの表示用のレンズ231212、前記負荷状態の異常の表示用のレンズ231213、前記動作エラーの表示用のレンズ231214は、何れも、前記受光面23121S1に前記光源23122から入射した光を伝達する柱状の光伝達部23121S2と前記前面パネル2313から外部に突出し前記光伝達部23121S2によって伝達された光を放射する光放射部23121S3とを有している。【００４２】
前記光放射部23121S3は、図９に図示のように、先端部がほぼアーチ形状をなすほぼ扁平な第１の側面23121S31と、この第１の側面23121S31とほぼ平行をなし先端部がほぼアーチ形状をなすほぼ扁平な第２の側面23121S32と、前記第１の側面23121S31の周縁部と前記第２の側面23121S32の周縁部とに跨ってほぼアーチ形状に延在する前面23121S33とを有し、前記第１の側面23121S31、前記第２の側面23121S32、および前記前面23121S33、の何れにも、粗面化加工23121S34が施されている。なお、粗面化加工とは、シボ加工、ヤスリ（サンドペーパ）加工、レーザによる表面加工など、いわゆる粗面化加工である。【００４３】
前記光放射部23121S3を、図９に図示のように、先端部がほぼアーチ形状をなすほぼ扁平な第１の側面23121S31と、この第１の側面23121S31とほぼ平行をなし先端部がほぼアーチ形状をなすほぼ扁平な第２の側面23121S32と、前記第１の側面23121S31の周縁部と前記第２の側面23121S32の周縁部とに跨ってほぼアーチ形状に延在する前面23121S33とで構成し、前記第１の側面23121S31、前記第２の側面23121S32、および前記前面23121S33、の何れにも、粗面化加工23121S34を施した場合、矢印ａ，ｂ，ｃ，ｄ，ｅの方向、即ち、上から見ても、下から見ても、左右の何れから見ても、前方から見ても、前記光放射部23121S3から放射される光が強く、試作試験の結果、例えば前記光放射部23121S3を半球状にしてその全面に粗面化加工を施した場合と比べると、視認性が可成り向上した。従って、多数のモータ負荷の負荷状態監視・制御を行う多数の列盤からなる大型コントロールセンタ（図２参照）において、列盤２４，２４，・・・を構成するコントロールユニット２３，２３，・・・の異常表示装置2312は、監視員が当該列盤に近づいて目視確認しなくても、工場内通路AAなど比較的遠くの位置から視認できる。【００４４】
実施の形態２．
この発明の実施の形態２として、LEDの各種配置を図１０に例示する。【００４５】
実施の形態１において説明した前記ＯＮ表示用のLED231221、ＯＦＦ表示用のLED231222、負荷状態異常表示用のLED231223、ユニット内動作エラー表示用のLED231224の何れも、実施の形態１に例示の配置に限られるものでなく、図１０の（ａ）〜（ｅ）に例示のような各種の配置としてもよい。なお、図１０において、Ｇは緑色発光のLED、Ｒは赤色発光のLEDであり、何れも一つのレンズに対し個数が多いほど輝度が増し、実施の形態１に示す粗面化された各面での放射光による全方向からの視認性が向上する。【００４６】
実施の形態３．
本実施の形態３は、図１１（ａ）（ｂ）に例示のように、表示用のレンズ23121の粗面化された光放射部23121S3における第１の側面23121S31、第２の側面23121S32の平面形状を台形状の５角形（先端部の形状は３角形）とし、前記第１の側面23121S31の周縁部と前記第２の側面23121S32の周縁部とに跨って延在する前面23121S33の平面形状も、前記第１の側面23121S31及び前記第２の側面23121S32の平面形状に合わせて、台形状の５角形（先端部の形状は３角形）とした事例である。【００４７】
実施の形態４．
本実施の形態３は、図１２（ａ）（ｂ）に例示のように、表示用のレンズ23121の粗面化された光放射部23121S3における第１の側面23121S31、第２の側面23121S32の平面形状を台形状の６角形（先端部の形状は４角形）とし、前記第１の側面23121S31の周縁部と前記第２の側面23121S32の周縁部とに跨って延在する前面23121S33の平面形状も、前記第１の側面23121S31及び前記第２の側面23121S32の平面形状に合わせて、台形状の６角形（先端部の形状は４角形）とした事例である。【００４８】
実施の形態３及び４の場合も、前述の実施の形態１における図９に図示の事例の場合と同様に、上から見ても、下から見ても、左右の何れから見ても、前方から見ても、前記光放射部23121S3から放射される光が強く、試作試験の結果、例えば前記光放射部23121S3を半球状にしてその全面に粗面化加工を施した場合と比べると、視認性が可成り向上した。従って、多数のモータ負荷の負荷状態監視・制御を行う多数の列盤からなる大型コントロールセンタ（図２参照）において、列盤２４，２４，・・・を構成するコントロールユニット２３，２３，・・・の異常表示装置2312は、監視員が当該列盤に近づいて目視確認しなくても、工場内通路AAなど比較的遠くの位置から視認できる。【００４９】
なお、本件出願の請求の範囲、明細書、要約においては、実施の形態３及び４の場合における形状（平面形状を台形状の５角形（先端部の形状は３角形）、平面形状を台形状の６角形（先端部の形状は４角形））を含めて「ほぼアーチ形状」と表現してある。【００５０】
なお、図１〜図１２の各図中、同一符合は同一または相当部分を示す。【００５１】
なお、前述の説明および前述の各図からも明白なように、本実施の形態１には、以下のような技術的特徴がある。【００５２】
特徴点１：複数の列盤の各々を構成するコントロールユニットの前面パネルに、負荷状態を表示する負荷状態監視画面表示装置、およびこの負荷状態監視画面表示装置の近傍に位置する異常表示装置を備えたコントロールセンタにおいて、
前記異常表示装置が、前記前面パネル内側に配設された光源、および前記前面パネルを貫通し前記光源が発生する光を入射する受光面とこの受光面に入射した光を伝達する柱状の光伝達部と前記前面パネルから外部に突出し前記光伝達部によって伝達された光を放射する光放射部とを有するレンズで構成され、
前記光放射部は、先端部がほぼアーチ形状をなすほぼ扁平な第１の側面とこの第１の側面とほぼ平行をなし先端部がほぼアーチ形状をなすほぼ扁平な第２の側面と前記第１の側面の周縁部と前記第２の側面の周縁部とに跨ってほぼアーチ形状に延在する前面とを有し、  前記第１の側面、前記第２の側面、および前記前面の何れにも粗面化加工が施されていることを特徴とするコントロールセンタ。【００５３】
特徴点２：特徴点１に記載のコントロールセンタにおいて、前記レンズおよび前記光源の対が少なくとも２対設けられ、その１対は負荷状態の異常を表示し、他の一対は前記コントロールユニット内の動作エラーを表示することを特徴とするコントロールセンタ。【００５４】
特徴点３：特徴点２に記載のコントロールセンタにおいて、前記各対のレンズは並設され、前記各対の光源は並設されていることを特徴とするコントロールセンタ。【００５５】
特徴点４：特徴点１〜３の何れか一に記載のコントロールセンタにおいて、前記前面パネルに設けられたレンズ取付用貫通孔内に前記レンズが取り付けられ、前記コントロールユニット内に設けられ前記負荷状態監視画面の表示制御および前記光源の発光制御を行う表示制御基板に前記光源が取り付けられていることを特徴とするコントロールセンタ。【００５６】
特徴点５：特徴点１〜４の何れか一に記載のコントロールセンタにおいて、前記前面パネルの少なくとも前記光伝達部を囲繞する部分は光不透過性樹脂で形成され、前記レンズは光透過性プラスチックで形成され、前記光源はＬＥＤであることを特徴とするコントロールセンタ。【００５７】
特徴点６：特徴点４または特徴点５に記載のコントロールセンタにおいて、前記前面パネルに一体に設けられた筒状部内に前記レンズ取付用貫通孔が形成され、前記筒状部の内端面より前面側に前記レンズの前記受光面が位置し、前記光源の前面側の光放射面が前記筒状部内に位置していることを特徴とするコントロールセンタ。【００５８】
特徴点７：特徴点６に記載のコントロールセンタにおいて、前記レンズの前記受光面と前記光源の前記光放射面との間に所定長のギャップが形成されていることを特徴とするコントロールセンタ。【００５９】
特徴点８：特徴点４〜７の何れか一に記載のコントロールセンタにおいて、  前記前面パネルは、前記表示制御基板に対して可枢動であることを特徴とするコントロールセンタ。【００６０】
特徴点９：各列盤の各コントロールユニットの全てが、前記特徴点１〜８の少なくとも一つの特徴構成を有していることを特徴とするコントロールセンタ。
【図１】
2009101716.tif 000003
【図２】
2009101716.tif 000004
【図３】
2009101716.tif 000005
【図４】
2009101716.tif 000006
【図５】
2009101716.tif 000007
【図６】
2009101716.tif 000008
【図７】
2009101716.tif 000009
【図８】
2009101716.tif 000010
【図９】
2009101716.tif 000011
【図１０】
2009101716.tif 000012
【図１１】
2009101716.tif 000013
【図１２】
2009101716.tif 000014
【国際調査報告】
2009101716.tif 000015
2009101716.tif 000016
2009101716.tif 000017
2009101716.tif 000018
2009101716.tif 000019